(57)【要約】【課題】  従来、遊戯用代用貨幣において不正行為を防止するためには、真偽を正確に判定する必要があるにも関わらず、従来のＲＦＩＤを備えたチップでは情報の書込みが可能である等の理由により、真偽を正確に確実に判定することが困難であった。本発明は、遊戯用代用貨幣の真偽が確実に判定可能であり、このような遊戯用代用貨幣を用いて不正行為を防止可能な遊戯用代用貨幣の真偽を判定するシステムを提供することを目的とする。【解決手段】  本発明の遊戯用代用貨幣（以下「チップ」と記す。）は、ＤＮＡによるコード情報を備えたものであり、かかるチップ１０は、円盤状の外形を有している。チップ１０は、チップ外形をかたちづくるボディ１１と、ボディ１１の両面に貼付けられたラベル１２と、ボディ１１に埋込まれたコア１３とによって構成されている。【選択図】図１
2014026299.tif 000002
【特許請求の範囲】
【請求項１】
ＤＮＡによるコード情報を備えた、遊戯用代用貨幣。
【請求項２】
成形品のボディを有し、前記成形品のボディがＤＮＡによるコード情報を備えた、請求項１に記載の遊戯用代用貨幣。
【請求項３】
ボディと、前記ボディに固定した板と、を有し、前記板がＤＮＡによるコード情報を備えた、請求項１に記載の遊戯用代用貨幣。
【請求項４】
ボディと、前記ボディに張り付けたシールと、を有し、前記シールがＤＮＡによるコード情報を備えた、請求項１に記載の遊戯用代用貨幣。
【請求項５】
ボディを有し、前記ボディ表面にはＤＮＡによるコード情報を備えた箔、インクもしくは塗料が付された、請求項１に記載の遊戯用代用貨幣。
【請求項６】
ＲＦＩＤタグを更に有する、請求項１〜５のいずれか一項に記載の遊戯用代用貨幣。
【請求項７】
ＤＮＡによるコード情報を備えた、遊戯用代用貨幣と、
前記遊戯用代用貨幣のＤＮＡによるコード情報を読取りＤＮＡ読取り前記遊戯用代用貨幣の真偽を判定する真偽判定装置と、
を有する、遊戯用代用貨幣の真偽を判定するシステム。
【請求項８】
前記遊戯用代用貨幣が成形品のボディを有し、前記成形品のボディがＤＮＡによるコード情報を備えた、請求項７に記載の遊戯用代用貨幣の真偽を判定するシステム。
【請求項９】
前記遊戯用代用貨幣がボディと、前記ボディに固定した板と、を有し、前記板がＤＮＡによるコード情報を備えた、請求項７に記載の遊戯用代用貨幣の真偽を判定するシステム。
【請求項１０】
前記遊戯用代用貨幣がボディと、前記ボディに張り付けたシールと、を有し、前記シールがＤＮＡによるコード情報を備えた請求項７に記載の遊戯用代用貨幣の真偽を判定するシステム。
【請求項１１】
前記遊戯用代用貨幣がボディを有し、前記ボディ表面にはＤＮＡによるコード情報を備えた箔、インクもしくは塗料が付された、請求項７に記載の遊戯用代用貨幣の真偽を判定するシステム。
【請求項１２】
前記遊戯用代用貨幣がＲＦＩＤタグを更に有する、請求項７〜１１のいずれか一項に記載の遊戯用代用貨幣の真偽を判定するシステム。
【発明の詳細な説明】
【技術分野】
【０００１】  本発明は、遊戯用代用貨幣を用いるゲーム等において、偽の遊戯用代用貨幣の検出を行うこどが容易に行える遊戯用代用貨幣および遊戯用代用貨幣の判定システムに関する。
【背景技術】
【０００２】  この種の遊戯用代用貨幣の一つは、国際公開ＷＯ２００８／１２０７４９  Ａ１（弊社特許出願）に開示されている。同文献では、ＲＦＩＤを内包した遊戯用の代用貨幣（以下「ＲＦチップ」と記す。）が開示され、このＲＦチップにはＲＦＩＤ用の情報を記憶するＩＣチップには、当該ＲＦチップの価額を表す情報、当該ＲＦチップの製造者を表す情報、当該ＲＦチップの所有者を表す情報、当該ＲＦチップが製造された日付を表す情報、当該ＲＦチップが所有者に渡された日付等を表す情報、当該ＲＦチップを有効に使用できる期間を表す情報、当該ＲＦチップを有効に使用できる場所を表す情報等を記憶させることが可能である。
【先行技術文献】
【０００３】
【特許文献１】  国際公開ＷＯ２００８／１２０７４９  Ａ１
【発明の概要】
【発明が解決しようとする課題】
【０００４】  上述の従来のＲＦチップにおいては、ＲＦチップの価額を表す情報および当該ＲＦチップを有効に使用できる期間を表す情報などが記憶されているので、カジノ等においてゲームテーブル等で使用するＲＦチップの貸出、当該ＲＦチップによる勝敗結果の清算、あるいは賭けたＲＦチップの勝ち分の払い戻しの計算が、ＲＦチップ読取り装置により即時に可能となり、実際のゲームテーブル上で行われるＲＦチップの種々のやり取りと、読取り装置から得られる情報との整合性を即座にチェックすることが可能となる。【０００５】  しかし、このようなＲＦチップにおいては、情報の書込みが可能であるので、不正行為者が、ＲＦチップの外観を変更すると共に、ＲＦＩＤ内のＩＣチップの情報（ＲＦチップの価額を表す情報）をより高額な価格に変更することが、理論上可能となる。また、所定の外観を備えている場合には、ＲＦＩＤによる情報が読取れなくても、それが故障等によるものか、不正目的によるものかが、判定出来ないものであり不正目的であることを断定することが、困難であった。【０００６】  遊戯用代用貨幣において不正行為を防止するためには、真偽を正確に判定する必要があるにも関わらず、従来のＲＦチップでは情報の書込みが可能である等の理由により、真偽を正確に確実に判定することが困難であった。【０００７】  また、上述のＲＦチップ以外にも不正目的チップの検出のためにＵＶ反応インキを、遊戯用代用貨幣に印刷しておき、これを検査装置で検査することも考えられる。しかしこの技術では、不正な方法で遊戯用代用貨幣にＵＶ反応インキで情報を偽造印刷することで、偽の遊戯用代用貨幣を複製することができる可能性を有している。【０００８】  本発明は上記背景の下でなされたものであり、その目的は、遊戯用代用貨幣を用いるゲーム等において、偽の遊戯用代用貨幣の検出を行うことが容易に行える遊戯用代用貨幣およびこれを用いたゲームシステムを提供することにある。
【課題を解決するための手段】
【０００９】  前記従来の課題を解決するために、本発明の遊戯用代用貨幣は、ＤＮＡによるコード情報を備えたものである。【００１０】  また、さらに本発明の遊戯用代用貨幣は、成形品のボディを有し、前記成形品のボディがＤＮＡによるコード情報を備えた構成、あるいは、ボディと、前記ボディに固定した板とを有し、前記板がＤＮＡによるコード情報を備えた構成、ボディと、前記ボディに張り付けたシールとを有し、前記シールがＤＮＡによるコード情報を備えた構成、ボディを有し、前記ボディ表面にはＤＮＡによるコード情報を備えた箔、インクもしくは塗料が付された、構成、さらにはＲＦＩＤタグを更に有する構成であってもよい。【００１１】  前記従来の課題を解決するために、本発明の遊戯用代用貨幣の真偽を判定するシステムは、ＤＮＡによるコード情報を備えた、遊戯用代用貨幣と、前記遊戯用代用貨幣のＤＮＡによるコード情報を読取りＤＮＡ読取り前記遊戯用代用貨幣の真偽を判定する真偽判定装置とを有する、ものである。【００１２】  さらに本発明の遊戯用代用貨幣の真偽を判定するシステムにおける、遊戯用代用貨幣は、成形品のボディを有し、前記成形品のボディがＤＮＡによるコード情報を備えた構成、あるいは、ボディと、前記ボディに固定した板とを有し、前記板がＤＮＡによるコード情報を備えた構成、ボディと、前記ボディに張り付けたシールとを有し、前記シールがＤＮＡによるコード情報を備えた構成、ボディを有し、前記ボディ表面にはＤＮＡによるコード情報を備えた箔、インクもしくは塗料が付された、構成、さらにはＲＦＩＤタグを更に有する構成であってもよい。
【発明の効果】
【００１３】  本発明は、遊戯用代用貨幣の真偽が確実に判定可能であり、このような遊戯用代用貨幣を用いて不正行為を防止可能な遊戯用代用貨幣の真偽を判定するシステムを提供することが可能となる。
【図面の簡単な説明】
【００１４】
【図１】  （ａ）  本発明の第１の実施形態にかかるチップの平面図、（ｂ）  （ａ）に示すＡ−Ａ’断面における断面図。
【図２】  同第１の実施形態にかかるチップの内部構造を示す一部破断平面図。
【図３】  同第１の実施形態にかかる遊戯用代用貨幣の真偽を判定するシステムにおける真偽を判定する装置の概要を示した説明図。
【発明を実施するための形態】
【００１５】  以下に、本発明ゲームシステムの実施の形態１を詳細に説明する。
図１（ａ）は、本発明の第１の実施形態にかかるチップの平面図、（ｂ）は（ａ）に示すＡ−Ａ’断面における断面図である。図２は、同第１の実施形態にかかるチップの内部構造を示す一部破断平面図、図３は、同第１の実施形態にかかる遊戯用代用貨幣の真偽を判定するシステムにおける真偽を判定する装置の概要を示した説明図である。遊戯用代用貨幣（以下「チップ」と記す。）は、ＤＮＡによるコード情報を備えたものであり、かかるチップ１０は、円盤状の外形を有している。チップ１０は、チップ外形をかたちづくるボディ１１と、ボディ１１の両面に貼り付けられたラベル１２と、ボディ１１に埋め込まれたコア１３とによって構成されている。コア１３は、ＲＦＩＤタグ１３１と、このＲＦＩＤタグ１３１の全体を覆うカバーシート１３２とによって構成されている。ボディ１１は、熱可塑性樹脂を用いた射出成形によって形成され、通常、例えばチップ１０の価額等に応じた色に着色されたり、数字または記号あるいは模様等が付されたりする。また、ボディ１１は、主面に凹部を有し、この凹部にラベル１２が貼り付けられている。ラベル１２は、例えば樹脂フィルム等で形成され、種々の情報を印刷するために用いられる。
【００１６】  ここで、コア１３の構成について説明する。コア１３は、ＲＦＩＤタグ１３１と、このＲＦＩＤタグ１３１を覆うカバーシート１３２とによって構成されている。ＲＦＩＤタグ１３１は、ＩＣチップ１３１ａとアンテナ１３１ｂとが、１枚のベースフィルム１３１ｃ上に配置されるか、あるいは、２枚のベースフィルム１３１ｃ間に挟み込まれた構成である。なお、ＲＦＩＤタグ１３１におけるＩＣチップ１３１ａとアンテナ１３１ｂとの接続態様や、ベースフィルム１３１ｃ上のアンテナ１３１ｂのパターン形状等は任意であり、図２示した態様のみに限定されない。
【００１７】  ＤＮＡによるコード情報には、様々な情報を記録することができる。特に重要な情報は、当該チップ１０の真偽を判定するためのコード化された情報である。ＤＮＡによるコード情報の詳細は後に述べる。真偽を判定するためのコード化された情報以外のＤＮＡによるコード情報として例を挙げると、当該チップ１０の価額を表す情報、当該チップ１０の製造者を表す情報、当該チップ１０の所有者を表す情報、当該チップ１０が製造された日付を表す情報、当該チップ１０が所有者に渡された日付を表す情報、当該チップ１０を有効に使用できる期間を表す情報、当該チップ１０を有効に使用できる場所を表す情報等が考えられる。もちろん、ＩＣチップ１３１ａに記録される情報は、これらの具体例にのみ限定されない。
【００１８】  カバーシート１３２は、ＲＦＩＤタグ１３１の全体を覆う可撓性シートであり、その材料としては、例えば、紙、塩化ビニル、またはポリエチレンテレフタレート等が好適に用いられる。カバーシート１３２は、ボディ１１の射出成形時に、ＲＦＩＤタグ１３１を保護する役目を果たす。カバーシート１３２は、ＲＦＩＤタグ１３１を挟み込んだ際に、ＲＦＩＤタグ１３１の表面にできるだけ隙間なく沿い、かつ、ＲＦＩＤタグ１３１の周囲においてもう１枚のカバーシート１３２と接着可能な程度の可撓性または可塑性を有していれば良い。なお、ボディ１１は、コア１３を例えば金型（図示せず）内に挿入し、その周囲に熱可塑性樹脂を注入することによってコア１３をボディ１１内部に完全に埋め込む、いわゆるインサート成形によって形成されることが好ましい。なお、インサート成形の場合、金型内部においてコア１３を支持するための支持ピン等を要するため、成形後のボディ１１に、当該支持ピンの形状が貫通孔として残存する場合があるが、本明細書に添付した図面においては、そのような貫通孔の図示を省略している。
【００１９】  本発明の実施の形態１における遊戯用代用貨幣の真偽を判定するシステムにおける、遊戯用代用貨幣すなわちチップ１０は、熱可塑性樹脂などにＤＮＡによるコード情報を混ぜ込み、この熱可塑性樹脂の成形品のボディ１１がＤＮＡによるコード情報を備えた構成としているが、応用例として、前記ボディに貼り付け固定したラベル１２（板）が、ＤＮＡによるコード情報を備えた構成としてもよく、ボディ１１もしくはラベル１２にさらにシール（図示せず）を張り、この張り付けたシールにＤＮＡによるコード情報を付与しておく構成も実現可能である。さらには、ボディ１１の表面に、ＤＮＡによるコード情報を備えたインクもしくは塗料が付された構造であってもよい。
【００２０】  また、Ｃチップ１３１ａにも、様々な情報を記録することができる。具体例を挙げると、当該チップ１０の価額を表す情報、当該チップ１０の製造者を表す情報、当該チップ１０の所有者を表す情報、当該チップ１０が製造された日付を表す情報、当該チップ１０が所有者に渡された日付を表す情報、当該チップ１０を有効に使用できる期間を表す情報、当該チップ１０を有効に使用できる場所を表す情報等が考えられる。もちろん、ＩＣチップ１３１ａに記録される情報は、これらの具体例にのみ限定されない。
【００２１】  図３は、本発明の実施の形態１におけるゲームシステムの真偽を判定する装置の構成を示す説明図であり、チップ１０の真偽を判定する装置２０１は、ゲームに使用されるチップ１０をディーラーが取り出す繰り出すチップホルダ２０２に設けられている。チップ１０の真偽を判定する装置２０１は、ゲームに使用される複数枚のチップ１０から順次もしくは一度にチップ１０のＤＮＡによるコード情報を取得する構成となっている。このためチップ１０の真偽を判定する装置２０１は複数の光源と複数のＤＮＡセンサ２０３を備え、図３に示すように複数枚のチップ１０を保持するチップホルダ２０２の下部に、透明な底板２０４を介して配置されている。このようなチップの真偽を判定する装置２０１であれば、チップホルダ２０２内のチップ１０が多数あっても、チップ１０をゲーム参加者から回収あるいは清算のために提供され受け入れた時に、チップ１０からＤＮＡによるコード情報を順次あるいはまとめて取得できるので、チップ１０の真偽が効率よく即座に判定できる。各チップ１０から取得したチップ１０のＤＮＡによるコード情報は、制御部２０５において  予め記憶された正規のチップを表すＤＮＡによるコード情報と比較され、チップ１０の真偽等が判定される。この判定結果、正規でない不正なチップ１０が混入している場合には、結果表示部２０６により、警報（ブザー等）が発せられる、またランプ（図示せず）にて表示される。
【００２２】  ＤＮＡの判定装置である制御部２０５は、マイクロコンピュータおよびメモリ等を含む電子回路で構成され、ＣＰＵ、ＲＯＭ、ＲＡＭ等の通常のコンピュータの構成を有する。ＤＮＡ判定装置を含む制御部２０５は、ＲＯＭに記憶したプログラムを実行することで、複数の光源と複数のＤＮＡセンサ２０３の制御、チップ１０の真偽等が判定およびＤＮＡによるコード情報に含まれた種々の情報の読み取り等に関する処理を行う。
【００２３】  次に、チップ１０からＤＮＡによるコード情報を順次あるいはまとめて取得する方法について述べる。複数の光源と複数のＤＮＡセンサ２０３には、複数のチップ１０の間の隙間を検出するＣＣＤ等の光学センサ（図示せず）が更に設けられており、各チップ１０の隙間を検出して個別のチップ１０を特定し、個別のチップ１０がＤＮＡによるコード情報を含んでいるか否かが判定される。さらに検出した個別のチップ１０の固有のＤＮＡによるコード情報が、制御部２０５に記憶される。読み取られ記憶された個別のチップの固有のＤＮＡによるコード情報は、制御部２０５において  予め記憶された正規のチップを表すＤＮＡによるコード情報と比較され、これらが一致するか否かにより個別のチップ１０の真偽等が判定される。
【００２４】  一方、カジノにて用いられるチップ１０は、予め設定された正しいチップとしてのＤＮＡによるコード情報が設定されているが、特定のカジノでは、カジノ単位で正規チップ１０のＤＮＡによるコード情報が設定されてもよいし、その他使用するフロア単位で配られるチップ１０の正規チップとしてのＤＮＡによるコード情報が登録されてもよい。
【００２５】  本実施の形態におけるＤＮＡによるコード情報は、人間の視覚により読取不能であって、所定の条件で読取可能なＤＮＡによるコード情報である。ＤＮＡによるコード情報は、複数種類のＤＮＡを含有し、ＤＮＡによるコード情報は複数種類のＤＮＡの中の少なくとも１個もしくは複数個により構成されてもよい。
【００２６】  次に本発明に使用するＤＮＡによるコード情報について、説明する。ＤＮＡによるコード情報は、ナノテクノロジーと分子科学によって開発されたもので、ＤＮＡを組み合わせて、サインコードあるいは暗号コードを構成することにより、目に見えないＤＮＡによるセキュリティー機能を有する。ＤＮＡによるサインコードあるいは暗号コードは、単独の原子からポリマーまでの大きさで、０．５から５ミクロン程度の化学物資の複合体で、ほとんど無限の種類（約３０兆以上）があり、容易に生産、または再生産することができる。また、偽造や読みとりを防ぐため、真のサインコードは、偽の多数のコードの中に忍び込ませることもできる。偽造者からみると、そもそも同じものを複製することがほぼ不可能なことに加え、真のサインコードがどれなのかが分からないので、セキュリティが高い。また、ＤＮＡによるサインコードあるいは暗号コードは、透明であり目に見えないので、透明な液体やインキに混入しても使われている場合、ＤＮＡが混入されていること自体が通常は分からない。混ぜたもしくは加えたＤＮＡによるコード情報によるサインコード等は、それだけを取り除いたり不活性化させたり、機能を喪失させたりすることは非常に難しい。
【００２７】  ＤＮＡによるサインコードに、狭い帯域のＵＶなどの特定の光をあてると、サインコードに応じた特定の波長の組み合わせた複雑な光が返ってくる。この返ってくる光を光センサ（オプトエレクトロニクスセンサ）により電気信号に変換し、この信号を解読することで意図したサインコードの有無を判別することができる。サインコードあるいは暗号コードを構成するＤＮＡをパルプ、インク、ニスなど他の対象物質に微量を混ぜるだけで使うことができる。物質自体は安定しており、混入する対象物質に影響を与えないので、ＤＮＡによるコード情報等を使うことによって通常の生産工程・生産スピードに影響を与えることはない。
【００２８】  ＤＮＡの判定は、対象物に特定の光をあてたときに、返ってくるオプトエレクトロニクス信号を解読する機器を用いてほとんどリアルタイムで行うことが可能（実際には０．０１秒以下）である。よくあるホログラムなどは目に見えるし、また、たとえば特定の金属粒子をＤＮＡによるコード情報として用いるなどの方法は、目に見えないタイプのものであっても複製可能であり、この点でＤＮＡを用いた場合に比べて従来の方法には弱点がある。
【００２９】  以上、本発明の各種の実施の形態を説明したが、上述の実施の形態は、本発明の範囲内で当業者により変形可能なことはもちろんである。例えば、本発明により、バカラ以外のブラックジャック等のゲームに使用可能であり、適用されるゲームでの必要に応じて、本実施の形態の装置が適切に変形されてよい。
【符号の説明】
【００３０】１０  チップ
１１  ボディ
１１’  ボディ
１２  ラベル
１３  コア
２０１  チップの真偽を判定する装置
２０３  光源と複数のＤＮＡセンサ
２０５  ＤＮＡの判定装置である制御部。
【図１】
2014026299.tif 000003
【図２】
2014026299.tif 000004
【図３】
2014026299.tif 000005